(57)【特許請求の範囲】
【請求項１】
フーチング付き布基礎を構築するための樹脂発泡体からなる型枠兼用断熱基礎ブロックであって、
前記フーチング付き布基礎を構築するための型枠兼用断熱基礎ブロックは、フーチング用型枠部分と布基礎用型枠部分との、着脱自在な２つの型枠部分から構成されるとともに、前記フーチング用型枠部分および前記布基礎用型枠部分は、それぞれ樹脂発泡体により一体に成形されたものであり、
前記フーチング用型枠部分は、互いに対向して略平行に配置された横部材と、この横部材の上面に互いに対向して立設された略三角形状の肩部と、前記肩部の内方に一体化された結束板と、この結束板同士を連結するリブとを備え、さらに前記横部材と前記リブとの間にコンクリートの注ぎ口が形成され、
前記布基礎用型枠部分は、互いに対向する一対のパネル部と、これら一対のパネル部を連結するように所定間隔置きに配設されたリブ部とから構成されていることを特徴とする型枠兼用断熱基礎ブロック。
【請求項２】
前記布基礎用型枠部分の上端面及び下端面に、複数の凸部をその長さ方向に沿って所定のピッチで肉厚方向に２列に亘って互い違いに、かつ上下に重ね合わせた時に下方に位置する布基礎用型枠部分の上端面と上方に位置する布基礎用型枠部分の下端面の前記各凸部が互いに係合するように形成したことを特徴とする請求項１記載の型枠兼用断熱基礎ブロック。
【請求項３】
前記フーチング用型枠部分の上端面に、複数の凸部をその長さ方向に沿って所定のピッチで肉厚方向に２列に亘って互い違いに、かつ上方に前記布基礎用型枠部分を重ね合わせた時に上方の布基礎用型枠部分の下端面に形成された前記各凸部が互いに係合するように形成したことを特徴とする請求項１記載の型枠兼用断熱基礎ブロック。
【発明の詳細な説明】
【０００１】
【産業上の利用分野】
本発明は、寒冷地などで建築物のフーチング付き布基礎を構築するのに使用して最適な型枠兼用断熱基礎ブロックに関する。
【０００２】
【従来の技術】
近年の一般木造建築物では、屋内の断熱効果を高めるため、また寒暖差による躯体の歪みを防止するため、コンクリートの基礎にも断熱材を配設する場合がある。
【０００３】
木造建築物の基礎としては、例えば、図６に示したように、ランマで突き固められた割ぐり石１の上に捨てコンクリート２を打設し、さらにフーチング３を打設し、さらにフーチング３上に布基礎４を立設させ、この布基礎４に挿通されたアンカーボルト５で土台６を固定するようにしたものが知られている。
【０００４】
このようなコンクリート基礎に断熱材を配設する場合には、従来はコンパネなどからなる木製のコンクリート型枠の一方に、断熱パネルを仮止めし、この一方の型枠と他方のコンクリート型枠とでコンクリートの打設空間を形成し、その打設空間にコンクリートを打設するようにしていた。そして、コンクリートの硬化後、コンパネからなる一対のコンクリート型枠を除去し、これにより、断熱パネルをコンクリートに取り付けるようにしていた。
【０００５】
しかしながら、このようなコンクリート基礎を構築するための一連の作業には、型枠工などの熟練した作業者が必要であるとともに、多量の木材と多大な手間が必要であった。
【０００６】
そこで、今日では、木材の使用削減を図りながら、熟練した作業者がいなくても断熱構造の基礎を構築することができるように、樹脂発泡体からなる断熱材自体で基礎型枠を構築する断熱基礎パネルおよびその断熱基礎工法が採用されつつある。
【０００７】
樹脂発泡体自体でコンクリートの打設空間を構成する場合、図７に示したように、例えば２枚の樹脂発泡体パネル７、７により両面が密閉されたコンクリートの打設空間８を画成し、次いでパネル７、７間に図示しないセパレータ等を挿通してコンクリートの打設幅を設定し、さらに縦横の鉄筋９を配筋し、しかる後、上方の開口部１０からコンクリートを打設して、フーチング付きコンクリート基礎を構築するようにしていた。
【０００８】
【発明が解決しようとする課題】
しかしながら、上記従来のような樹脂発泡体パネル７、７を用いてフーチング付きコンクリート基礎を構築する場合には、図７に示したように、開口部１０からコンクリートＣを流し込んだ際に、当初予定していた部所にまでコンクリートＣを流し込むことができず、結果として流入したコンクリートＣが所定の形状にならず、薄肉の状態で固化してしまうことがままあった。これにより、従来はコンクリート基礎の強度不足が発生するのを防ぐ目的で、樹脂発泡体パネル７、７間の幅を予め設定値より厚くするか、コンクリートの流入度を高めるために含水量を多めにするなどの配慮が必要であった。
【０００９】
本発明は上記実情に鑑み、型枠自体に高い断熱性を持たせて建築物のフーチング付き布基礎を容易かつ迅速に構築することができ、しかもコンクリートを流し込むことが困難であった隅部にまで充分にコンクリートを流し込んで所定の強度を付与することができる型枠兼用断熱基礎ブロックを提供することを目的とする。
【００１０】
さらに、本発明では、布基礎の上部に壁面を一体に延ばしていくことも可能な型枠兼用断熱基礎ブロックを提供することを目的としている。
【００１１】
【課題を解決するための手段】
本発明は、コンクリートの流れ難い隅部にまでコンクリートを充分に到達させるため、コンクリートの注ぎ口を上部開口の他に別途、設けている。これにより、隅部にまでコンクリートを流し込むことができる。
【００１２】
また、布基礎用型枠部分とフーチング用型枠部分とを着脱自在な２つの型枠部分から構成するとともに、一方の布基礎用型枠部分により壁面を兼用して構築することができるようにしている。
【００１３】
【発明の実施の形態】
本発明の型枠兼用断熱基礎ブロックでは、複数の箇所からコンクリートを打設することができるように、フーチングと布基礎との境界付近に、コンクリートの注ぎ口を複数個設けている。
【００１４】
また、断熱基礎ブロックをフーチング用型枠部分と布基礎用型枠部分との２つの型枠部分から構成し、これらを着脱自在に取り付けることにより、型の構造を容易なものとするとともに、現場での組立作業性を良好なものとしている。さらに、布基礎用型枠部分の上部に、他の布基礎用型枠部分を積み上げることにより、建築物の壁面を構築できるようにしている。
【００１５】
さらに、これら型枠部材を各々別体で形成する場合、フーチング用型枠部分には、布基礎用型枠部分を両側から保持するように肩部を上部に対峙して設けることが好ましく、これら肩部の間にコンクリートの注ぎ口を構成すると良い。
【００１６】
また、これら型枠部分をそれぞれ別体に形成する場合、着脱自在となる上面または下面に凹凸形状の嵌合部を設けることが好ましい。
【００１７】
【実施例】
以下、図面を参照しながら本発明の一実施例について説明する。
図１は本発明の一実施例による型枠兼用断熱基礎ブロック３０を示したものである。
【００１８】
この型枠兼用断熱基礎ブロック３０は、凸形の底部を構成するフーチング用型枠部分１１と矩形平板状で立設部を構成する布基礎用型枠部分１２とから構成されており、布基礎用型枠部分１２は、後述するようにフーチング用型枠部分１１の上部に着脱自在に装着される。
【００１９】
ここに、前記型枠兼用断熱基礎ブロック３０を構成する樹脂発泡体は、例えば発泡ポリスチレン、発泡ポリウレタン、発泡ポリ塩化ビニルまたは発泡ポリオレフィン等のように、合成樹脂を発泡させて形成したものであり、この発泡倍率は、例えば５〜１００倍、好ましくは、２０〜８０倍、更に好ましくは、３０〜７０倍程度である。
【００２０】
このように、型枠兼用断熱基礎ブロック３０を樹脂発泡体で構成することにより、この軽量化を図るとともに、型枠兼用断熱基礎ブロック３０自体に高い断熱性能と吸音効果を持たせ、更に腐蝕の防止とコストダウンを図ることができる。
【００２１】
前記フーチング用型枠部分１１は、各構成要素全てが一体に成形されている。すなわち、互いに対向して略平行に配置される横部材１３、１３と、これらの横部材１３、１３をそれらの対向面で連結する複数のリブ１４（実施例では６本）と、これらリブ１４に一体であり上方に延びるように形成された略三角形状の肩部１５と、各リブ１４を横方向に連結し肩部１５の一側面をつなぐように立設される２つの結合板２６、２６とが、全て一体に成形されている。
【００２２】
なお、実施例では、隣接する２つの肩部１５、１５で１つの組を構成しており、これら２つの肩部１５、１５からなる組は片側に３組づつ配置され、そして、組と組との間には、比較的大きな空間Ｓが形成されている。この空間Ｓは、コンクリートの注ぎ口として機能する。
【００２３】
さらに、横部材１３の両端部には、これら横部材１３を複数個、連結して並べることができるように、連結用凸部３６および連結用凹部３７が形成されている。
【００２４】
一方、前記布基礎用型枠部分１２には、互いに対峙して略平行で、上方に向かってその間隔がやや広くなるように配置された一対の矩形状パネル部１６，１６が備えられ、このパネル部１６，１６は、その対向面で複数のリブ部１７を介して一体に連結されている。
【００２５】
前記リブ部１７は、所定のピッチｐ1 で配置されて、互いに隣接するリブ部１７間に上下方向に連通する中空部１８が形成されているとともに、最外方に位置する両リブ部１７は、パネル部１６，１６の端面から前記ピッチｐ1 の半分の距離ａ（＝ｐ1 ／２）だけ内方に配置され、これによって２個の布基礎用型枠部分１２を左右方向に突き合わせて配列した時、図２に示すように、互いに隣接する布基礎用型枠部分１２，１２間にも中空部１８が画成されるようになっている。
【００２６】
更に、前記リブ部１７は、その高さＨ2 がパネル部１６，１６の高さＨ1 よりも低く（Ｈ2 ＜Ｈ1 ）設定されているとともに、該パネル部１６，１６の高さ方向中央に配置され、これによって、布基礎用型枠部分１２のリブ部１７の上方及び下方に横方向に連通する空間１９ができるよう構成されている。
【００２７】
なお、パネル部１６の厚さ方向に衝突する冷気がコンクリート基礎の開口Ｓに固化したコンクリートに接することがないように、パネル部Ｈ1 の高さを地面のレベル下に位置させることが好ましい。
【００２８】
前記空間１９は、信号分配のためのＥＰＳ（電気配管配線スペース）、空調ダクトのためのＤＳ（ダクトスペース）及び給排水管路のためのＰＳ（配管スペース）等として利用するとともに、この内部に横方向に延びる横筋を挿通するためのものである。
【００２９】
また、前記中空部１８は、前記空間１９を互いに連通するとともに、この内部に縦方向に延びる縦筋を挿通するためのものである。また、横筋は、リブ部１７の上下両端面に所定のピッチで複数の凹溝を設け、この凹溝内に挿通することもできる。
【００３０】
即ち、布基礎用型枠部分１２は、単にフーチングの上部に布基礎を構築するにのみならず、これらを上下左右方向に順次平面状に並べることにより、建築物の壁面そのものを構築することができる。
【００３１】
更に、前記パネル部１６，１６の外表面は、ここにモルタル等の外装材（壁材）を塗布して外壁を構成するためのものであり、そのほぼ全域に亘って多数の下地溝２３が並列的に形成されている。
【００３２】
前記下地溝２３は、図１、図３および図４に示したように、上方に向かって徐々に肉厚内方に傾斜するテーパ面２４の周囲を、下方に開口する平面略コ字状の周壁面２５で囲繞して構成されている。
【００３３】
この周壁面２５は、両側の上方に向かって除々に拡がる側面部２５ａとこの側面部２５ａの上端を該側面部２５ａに連続して繋ぐ上面部２５ｂとからなり、これによって、前記下地溝２３は、下方に向かって徐々に浅くなり、周壁面２５の上面部２５ｂが最も深くなる溝を構成している。
【００３４】
そして、布基礎用型枠部分１２の外表面に、図３に示したように例えばモルタル２７等を塗布して外壁を構築するのであるが、この時、このモルタル２７の一部が、前記下地溝２３の内部に入り込んで下方に流れ出さないように保持され、これによって左官のための下地を別途取付けることなく、モルタル２７の塗布作業ができるようになっている。この下地溝は上方に開口するものであっても良く、その場合はモルタルの下方への流下を防止し、固化後もしっかり固着できる。
【００３５】
上記布基礎用型枠部分１２は、例えば型内成型や、下地溝２３の形状に沿った外形を有する焼き鏝等を使用した後加工、更には、切削加工等によって形成することができる。
【００３６】
さらに、この実施例では、図１に示したようにフーチング用型枠部分１１の上に布基礎用型枠部分１２を組み付けることに限らず、布基礎用型枠部分１２同士を積み重ねられるように、フーチング用型枠部分１１の結合板２６、２６の上端面と、前記パネル部１６，１６の上下両端面には、以下の構成からなる嵌合部が備えられている。
【００３７】
即ち、パネル部１６，１６の各上端面には、その長さ方向に沿って所定のピッチｐ2 で第１の凸部３１と第２の凸部３２とがその肉厚方向に２列に亘って互い違いに、かつパネル部１６，１６の第１の凸部３１同士及び第２の凸部３２同士が互いに対峙する位置に形成されている。
【００３８】
また、前記パネル部１６，１６の各下端面にも同様の凸部が２列に亘って互い違いに形成されている。
他方、フーチング用型枠部分１１の結合板２６，２６の上端面には、前記パネル部１６の上端面と同様に、第１の凸部３１と第２の凸部３２とがその肉厚方向に２列に亘って互い違いに形成されている。
【００３９】
フーチング用型枠部分１１および布基礎用型枠部分１２に、このような凹凸部を設けることにより、図２に示すように、フーチング用型枠部分１１の上部に布基礎用型枠部分１２を積み上げることができ、さらに、布基礎用型枠部分１２の上部に別の布基礎用型枠部分１２を積み上げることができる。
【００４０】
したがって、多数の布基礎用型枠部分１２を用意することにより、フーチング付き布基礎の上部に、断熱構造の壁面を一体に構築していくことができる。
なお、前記パネル部１６，１６の各上端面には、図４に詳細に示すように、例えば金属製のセパレータ４０が介装される。
【００４１】
このセパレータ４０は、パネル部１６，１６間に跨がってその内部にコンクリートＣを打設した際に（図３）この間隔を一定に保持するとともに、モルタル２７等の壁材の塗布厚さの目安とするためのものであり、矩形平板状の板体を屈曲して形成されている。
【００４２】
なお、上記セパレータ４０には、縦筋３８を上下方向に挿通させるための複数の切欠溝３９が形成されており、これによって、縦筋３８を所定間隔置きに配置することができるとともに、縦筋３８そのものを保持することができている。
【００４３】
本実施例のような型枠兼用断熱基礎ブロック３０を従来のコンパネなどからなる型枠として用いる場合は、図２に示したように、上下幅方向に整列させて伸ばしていくこともできるが、布基礎用型枠部分１２を千鳥状に配置していくこともできる。
【００４４】
そして、この基礎用型枠部分１２の上部にセパレータ４０を挿通し、所定の縦筋および横筋を挿通し、必要に応じて周囲に縦横のバタを配置し、しかる後、コンクリートＣを、布基礎用型枠部分１２の上部を連設するように形成された上部開口Ｂから打設するとともに、フーチングと布基礎との境界付近に形成された所定間隔おきの開口Ｓから打設すれば良い。この場合、コンクリートＣを全ての開口Ｓから打設する必要はなく、適宜選択した開口Ｓからコンクリートを打設すれば良い。
【００４５】
また、コンクリートＣをフーチングおよぶ布基礎まで一回で打設することもできるが、数回に分けて打設することもできる。また、コンクリートＣを上部開口Ｂの他、側方の開口Ｓから打設することにより、図５に示したように、フーチンブ部の隅部にもコンクリートを流すことができる。勿論、所定量のコンクリートＣが装填された時点で、バイブレータなどを使用してコンクリートを強制的に流せば、より確実に隅部にまで流すことできる。
【００４６】
さらに、上記実施例では、フーチング用型枠部分１１に、横方向のリブ１４を一体に設けて横部材１３、１３等が成形時に離反しないようにしているが、成形が終了した後の、例えば該フーチング用型枠部分１１を設置する直前あるいは設置した直後に、このリブを取り除くこともできる。その場合、リブ１４は手でつかんで引っ張れば簡単に除去することができる。こうして、リブ１４を除去すれば、縦横の鉄筋を配筋をする場合に、邪魔になることはない。
【００４７】
なお、フーチング用型枠部分１１を路面等に固定する場合、図５に示したように予め横部材１３、１３に孔をあけておき、この孔に、鉄筋４０を差し込むことでフーチング用型枠部分１１を所定位置に固定することもできる。あるいは、路面に予め差し込んでおいた鉄筋に、フーチング用型枠部分１１を差し込むこともできる。
【００４８】
以上の実施例では、フーチング用型枠部分１１と布基礎用型枠部分１２とが別体で形成された型枠兼用断熱ブロック３０について説明したが、これら２つの型枠部分が一体で形成された型枠兼用ブロックを形成することもできる。
【００４９】
この場合にも、フーチングと布基礎との境界付近に、コンクリートの注ぎ口を設ければ、上記実施例と同様に、コンクリートを隅部にまで流し込むことができる。
【００５０】
【発明の効果】
本発明は上記のような構成であるので、コンクリートが流れ難かった部分にまでコンクリートを確実に流すことができ、所定の強度を持たすことができる。
【００５１】
また、基礎ブロック自体に高い断熱性能を持たせ、これによって断熱材を別途用意することなく断熱性能に優れたフーチング付き布基礎を容易かつ迅速に構築することができる。しかも、型枠兼用断熱基礎ブロックを安価に製造してコストダウンを図ることができるとともに、下方に位置する型枠部分の上端面に設けた凸部と上方に位置する型枠部分の下端面に設けた凸部とを互いに係合させることによってこの位置決めを行いつつ上方に順次積み上げてゆくことができる。
【００５２】
また、フーチング用型枠部分と布基礎用型枠部分とを別体に形成することで、同じ布基礎用型枠部分を用いることで上下幅方向に壁面を順次積み上げていくことができる。
【図面の簡単な説明】
【図１】本発明の一実施例による型枠兼用断熱基礎ブロックの分解斜視図である。
【図２】同実施例による型枠兼用断熱基礎ブロックを上下左右に敷き並べた状態を示す斜視図である。
【図３】同実施例による型枠兼用断熱基礎ブロック内にコンクリートを打設した後の断面図である。
【図４】同実施例による布基礎構築用基礎ブロックの上面にセパレータを組み付けるときの組立斜視図である。
【図５】同実施例による布基礎構築用基礎ブロックにコンクリートを打設するときの作業手順を示す断面図である。
【図６】従来のフーチング付き布基礎の一例を示す斜視図である。
【図７】従来の型枠によりコンクリートを打設したときの断面図である。
【符号の説明】
１１        フーチング用型枠部分
１２        布基礎用型枠部分
１３        横部材
１４        リブ
１５        肩部
３０        型枠兼用断熱基礎ブロック
Ｓ          空間（注ぎ口）
【図１】
0003689168.tif 000002
【図２】
0003689168.tif 000003
【図３】
0003689168.tif 000004
【図４】
0003689168.tif 000005
【図５】
0003689168.tif 000006
【図６】
0003689168.tif 000007
【図７】
0003689168.tif 000008